(57)【特許請求の範囲】
【請求項１】
前面板と底面板と後面板と左右両側面板とによって上面が開口した直方体状に構成された箱本体と、この箱本体の上面開口部を開閉し得るように箱本体に連設された蓋とから成り、この蓋は、上板と前板と左右両側板とを備え、上記前板が上記箱本体の前面板の外側に重なり、上記左右両側板が上記箱本体の左右両側面板の外側に重なる状態で閉じるように構成されたロール状フィルムの収納箱において、次の要件(ｉ)〜(ｉｉｉ)のすべてを具備することを特徴とするロール状フィルムの収納箱。
(ｉ)  上記蓋の前板の下端側に折込み用の折り目を介して折込み片を延設し、この折込み片を上記折込み用の折り目によって前板の内側に折り込み、上記箱本体内から引き出されたフィルムを切断するカッターをこの折込み片に設けたこと。
(ｉｉ)   上記折込み片の幅方向の中間部に折り曲げ用の折り目を設け、折込み片をこの折り目により逆Ｖ字形に折り曲げ、この両側折り曲げ部分同士を接合するとともに、外側の折り曲げ部の先端部にカッターを設けたこと。
(ｉｉｉ)   上記折込み片の長さ方向の一乃至複数個所において、逆Ｖ字の頂点部分から上向きに突出する突片を設けたこと。
【請求項２】
上記折込み片の両側折り曲げ部同士を全長部分で接着により結合したことを特徴とする請求項１記載のロール状フィルムの収納箱。
【請求項３】
上記折込み片に、上記折り曲げ用の折り目を基点とする門形の切り込みを設け、この切り込みの内側部分を起こして突片を形成したことを特徴とする請求項１または２記載のロール状フィルムの収納箱。
【請求項４】
上記門形の切り込みを、折り曲げ用の折り目を基点として上記折込み用の折り目に到達しない寸法で設けたことを特徴とする請求項３記載のロール状フィルムの収納箱。
【請求項５】
上記門形の切り込みを、折り曲げ用の折り目を基点として上記折込み用の折り目に到達する寸法で設けたことを特徴とする請求項３記載のロール状フィルムの収納箱。
【請求項６】
上記折込み片を、上記蓋の前板とほぼ同等の幅寸法をもって前板に延設し、前板のほぼ１／２の幅寸法となるように折り曲げたことを特徴とする請求項１〜５のいずれか１項に記載のロール状フィルムの収納箱。
【請求項７】
上記折込み片を上記蓋の前板のほぼ２倍の幅寸法をもって前板に延設し、前板とほぼ同等の幅寸法となるように折り曲げたことを特徴とする請求項１〜５のいずれか１項に記載のロール状フィルムの収納箱。
【発明の詳細な説明】
【技術分野】
【０００１】
本発明はロール状に巻かれた食品等包装用のフィルムを収納し、必要量ずつ引き出してカットするロール状フィルムの収納箱に関するものである。
【背景技術】
【０００２】
本発明の好適例である合成樹脂フィルムの収納箱を例にとって背景技術を説明する。
【０００３】
従来、この収納箱は、図１１〜図１３に示すように、前面板１と底面板２と後面板３と左右両側面板４，４とによって上面が開口した直方体状に構成された箱本体Ａと、この箱本体Ａの上面開口部を開閉する蓋Ｂとから成り、箱本体Ａに、ロール状に巻かれたフィルムＦが収納される。
【０００４】
蓋Ｂは、本体後面板３に連設された上板５と、前板６と、左右両側板７,７とから成り、前板６及び左右両側板７,７がそれぞれ本体Ａの前面板１及び左右両側面板４,４の外側に重なる状態で閉じられる。
【０００５】
また、前板６の下端部内面に、引き出したフィルムＦをカットするための鋸歯状のカッター８が設けられるとともに、流通過程でこのカッター８を防護するカッターカバー９が前板下端部に切り取り線１０を介して延設され、使用時にこのカッターカバー９が切り取られる。
【０００６】
この状態で、カッター８の刃先が前板下端部から突出し、引き出されたフィルムＦの切断が可能となる。
【０００７】
この収納箱は、通常、やや厚手の紙材から箱本体Ａ及び蓋Ｂが一体となったシート状に打ち抜かれ、曲げ、糊付け工程を経て箱状に組立てられる。
【０００８】
なお、図１２，１３に示す従来の収納箱の断面図、及び後述する本発明の各実施形態に係る収納箱の断面図は、構造を分かり易くするために実際よりも厚肉に図示している。
【０００９】
このような収納箱の一般的な構成はたとえば特許文献１に示されている。
【００１０】
従来の収納箱においては、次の欠点があった。
【００１１】
(Ｉ)  上記のようにカッター８を前板下端部に、蓋閉じ状態で刃先が下を向く状態で取付けているため、図１３に示すようにフィルムＦの引き出しのために蓋Ｂを開いた状態でカッター８の刃先がほぼ水平の横向き、すなわち差し込まれる手に対向する姿勢となる。
【００１２】
このため、露出した刃先で使用者が手を怪我するおそれがあった。
【００１３】
(ＩＩ)  フィルムＦを切断するときは、フィルムＦの巻き戻りを防止するために、図１２の右側に示すようにフィルムＦを引き出して蓋Ｂを閉じ、前板６を押さえ込でフィルムＦを本体前面板１に密着させるのが望ましい。
【００１４】
しかし、同図中に二点鎖線で示すように蓋Ｂが半開き状態のまま切断操作(半開き切断)される場合が多々ある。
【００１５】
従来の収納箱では、この状態でもカッター刃先が下向きとなり、フィルムＦの切断が可能であるため、つい上記半開き切断が行われ易く、この結果、フィルムＦの巻き戻りが多発していた。
【００１６】
(ＩＩＩ)  箱本体Ａの前面板１の表面には、切断時にフィルムＦの密着性を高めて巻き戻りを防止するためにニス層(図示しない)が設けられているが、フィルムＦをこのニス層に押し付けるのは使用者自身の押さえ込み力のみに依存しているため、押し付け不足で所期の目的(フィルムＦの密着)を達成できていないのが現実であった。
【００１７】
(ＩＶ)  上記(ＩＩ)のフィルム切断時に、切断反力は主として蓋Ｂの前板６で受け止められるが、従来の収納箱ではこの前板６が単なる一枚板構造で剛性が低いため、切断時に内側に撓んで切断反力を十分に受け止めることができない。このため、所謂切れ味が悪くなり、フィルムＦの切り損じが発生し易かった。
【００１８】
この点の対策として、前板６の剛性を高めるべく箱全体の紙厚を大きくすることが考えられるが、こうすると紙材の使用量(いわゆる坪量)が多くなってコストアップするため現実的でない。
【先行技術文献】
【特許文献】
【００１９】
【特許文献１】特開平８−２１７０６４号公報
【発明の概要】
【発明が解決しようとする課題】
【００２０】
そこで本発明は、上記(Ｉ)〜(ＩＶ)の課題を一挙に解決することができるロール状フィルムの収納箱を提供するものである。
【課題を解決するための手段】
【００２１】
上記課題を解決する手段として、本発明においては、前面板と底面板と後面板と左右両側面板とによって上面が開口した直方体状に構成された箱本体と、この箱本体の上面開口部を開閉し得るように箱本体に連設された蓋とから成り、この蓋は、上板と前板と左右両側板とを備え、上記前板が上記箱本体の前面板の外側に重なり、上記左右両側板が上記箱本体の左右両側面板の外側に重なる状態で閉じるように構成されたロール状フィルムの収納箱において、次の要件(ｉ)〜(ｉｉｉ)のすべてを具備するものである。
【００２２】
(ｉ)  上記蓋の前板の下端側に折込み用の折り目を介して折込み片を延設し、この折込み片を上記折込み用の折り目によって前板の内側に折り込み、上記箱本体内から引き出されたフィルムを切断するカッターをこの折込み片に設けたこと。
【００２３】
(ｉｉ)   上記折込み片の幅方向の中間部に折り曲げ用の折り目を設け、折込み片をこの折り目により逆Ｖ字形に折り曲げ、この両側折り曲げ部分同士を接合するとともに、外側の折り曲げ部の先端部にカッターを設けたこと。
【００２４】
(ｉｉｉ)   上記折込み片の長さ方向の一乃至複数個所において、逆Ｖ字の頂点部分から上向きに突出する突片を設けたこと。
【００２５】
この構成によれば、折込み片が折込み用の折り目を中心として回動可能となり、蓋を開いた状態で、復原力により前板に対して直角近くまで開く。
【００２６】
従って、カッターが上向きとなり、フィルムの引き出し時に手を入れてもカッターの側面に接触するだけで刃先には接触しないこと、及び接触すると折込み片全体が手から逃げる方向に回動することにより、手を怪我するおそれがなくなる。
【００２７】
また、蓋を半開きにした状態ではカッターが斜め上向きか横向きとなって刃先がフィルムに接触しにくく、接触しても折込み片がフィルムに押されて逃げるため、切断不能となる。
【００２８】
これにより、半開き切断を抑止し、箱を閉じた状態での切断を促してフィルムの巻き戻りを防止する点の効果が得られる。
【００２９】
一方、蓋を閉じた状態では、折込み片は、蓋の前板と箱本体の前面板との間に挟まれて、復原力を蓄えた状態で折畳まれる。
【００３０】
従って、蓋を閉じた状態でのフィルム切断時に、フィルムが折込み片の復原力によって前面板に押し付けられるため、使用者によって加えられる押し付け力と合わせて前面板表面のニス層に強く密着する。
【００３１】
このため、ニス層の所期の目的であるフィルムの巻き戻り防止機能を高めることができる。
【００３２】
また、カッターによる切断反力を折込み片と前板とによって受け止めるため、この反力受け止め部分の剛性が高くなり、切断反力を確実に受け止めて撓みを防止することができる。
【００３３】
しかも、箱全体の紙厚を増加させる場合と比較して、折込み片の分だけ紙の使用面積は増えるが、紙厚を増加させる必要がないことにより、トータルでの使用量(坪量)を少なくし、コストダウンすることができる。
【００３４】
また本発明によると、折込み片を折り目により逆Ｖ字形に折り曲げ、この両側折り曲げ部分同士を接合するとともに、外側の折り曲げ部の先端部にカッターを設けているため、折込み片の復原力が高くなることから、蓋を開いた状態でカッターが上向きとなる点、蓋を半開きにした状態でカッターが上向きまたは横向きになる点、蓋を閉じた状態でフィルムを前面板に押し付ける点の効果がより顕著となる。
【００３５】
また、折込み片が二重になることで切断反力を支持する部分の剛性を増加させる点の効果が一層高くなる。
【００３６】
さらに、折込み片の長さ方向(箱の長さ方向)の一乃至複数個所において、逆Ｖ字の頂点部分から上向きに突出する突片を設けているため、蓋を開き姿勢から閉じる際に、突片が前面板の上端に当たって折込み片が前板と前面板との間にスムーズに折り込まれる。すなわち、突片が折込み片の折込みガイドとなる。
【００３７】
本発明において、上記折込み片の両側折り曲げ部同士を全長部分で接着により結合するのが望ましい(請求項２)。
【００３８】
こうすれば、箱の組立段階で折込み片を逆Ｖ字形の折り曲げ状態に容易に加工できるため、この折込み片を含めた箱の製作が容易でコストが安くてすむ。
【００３９】
さらに本発明においては、上記折込み片に、上記折り曲げ用の折り目を基点とする門形の切り込みを設け、この切り込みの内側部分を起こして突片を形成するのが望ましい(請求項３)。
【００４０】
こうすれば、突片を別部材として折込み片に取付ける場合と比較して突片の加工が容易でコストが安くてすむ。また、使用中に折込み片から外れるおそれもない。
【００４１】
この場合、門形の切り込みは、折り曲げ用の折り目を基点として上記折込み用の折り目に到達しない寸法で設けもよいし(請求項４)、折込み用の折り目に到達する寸法で設けてもよい(請求項５)。
【００４２】
後者によれば、突片の突出寸法が大きくなり、蓋を閉じた状態でこの突片と前板が重なる部分の面積が大きくなるため、前板を補強しその剛性を高める点の効果が得られる。
【００４３】
一方、上記折込み片を、上記蓋の前板とほぼ同等の幅寸法をもって前板に延設し、前板のほぼ１／２の幅寸法となるように折り曲げてもよいし(請求項６)、折込み片を前板のほぼ２倍の幅寸法をもって前板に延設し、前板とほぼ同等の幅寸法となるように折り曲げてもよい(請求項７)。
【００４４】
前者によれば、折込み片に費やす紙の使用量が少なくてすむためコストが安くてすむ。
【００４５】
後者によれば、蓋を閉じた状態で前板と折込み片を合わせた切断反力支持部分が前板の全幅部分で三重構造となるため、切断反力支持部分の剛性をさらに増加させ、フィルム切断時の撓み防止効果を一層高めることができる。
【発明の効果】
【００４６】
本発明によると、従来の収納箱の課題を一挙に解決し、使用時の安全性を高め、かつ、フィルムの巻き戻りを防止できるとともに、フィルムの切れ味を改善することができる。
【図面の簡単な説明】
【００４７】
【図１】本発明の第１実施形態に係る収納箱の、カッターカバーを切り取る前と切り取った後の断面図である。
【図２】同収納箱の蓋を開いた状態の断面図である。
【図３】同収納箱の蓋を開いた状態の一部切欠斜視図である。
【図４】同収納箱の展開図である。
【図５】本発明の第２実施形態に係る収納箱の蓋を開いた状態の斜視図である。
【図６】同収納箱の展開図である。
【図７】本発明の第３実施形態に係る収納箱の蓋を開いた状態の斜視図である。
【図８】同収納箱の展開図である。
【図９】本発明の第４実施形態に係る収納箱の断面図である。
【図１０】同収納箱の蓋を開いた状態の断面図である。
【図１１】従来の収納箱の斜視図である。
【図１２】カッターカバーを切り取る前と切り取った後の図１１のＸＩＩ−ＸＩＩ線断面図である。
【図１３】同収納箱の蓋を開いた状態の断面図である。
【発明を実施するための形態】
【００４８】
本発明の実施形態を図１〜図１０によって説明する。
【００４９】
以下の実施形態に係る収納箱おいて、次の点は図１１〜図１３に示す従来の収納箱と同じである。
【００５０】
(ｉ)  前面板１と底面板２と後面板３と左右両側面板４，４とによって上面が開口した直方体状に構成された箱本体Ａと、この箱本体Ａの上面開口部を開閉する蓋Ｃとから成る点。
【００５１】
(ｉｉ)  蓋Ｃは、本体後面板３に連設された上板５と、前板６と、左右両側板７,７とから成り、前板６及び左右両側板７,７がそれぞれ本体Ａの前面板１及び左右両側面板４,４の外側に重なる状態で閉じられる点。
【００５２】
(ｉｉｉ)  前板６の下端側に、引き出したフィルムＦをカットするための鋸歯状のカッター８が設けられるとともに、流通過程でこのカッター８を防護し使用段階で切り取られるカッターカバー９が前板下端部に切り取り線１０を介して延設される点。
【００５３】
(ｉｖ)  箱全体が、やや厚手の紙材から図４，６，８に示すシート状に打ち抜かれ、曲げ、糊付け工程を経て箱状に組立てられる点。
【００５４】
図４，６，８中、４ａ，４ｂ，４ｃは本体側面板４を構成する側面板片、７ａ，７ｂは蓋Ｃの側板７を構成する側板片である。
【００５５】
第１実施形態(図１〜図４参照)
第１実施形態においては、蓋Ｃの前板６の下端側に、折込み用の折り目(以下、第１折り目という。図４のみに示す)１１を介して折込み片１２を前板全長に亘って延設し、図１〜図３に示すようにこの折込み片１２を第１折り目１１によって前板６の内側に折り込んでいる。
【００５６】
この折込み片１２は、幅方向(上下方向)の中央部に設けた折り曲げ用の折り目(以下、
第２折り目という。図４のみに示す)１３によって断面逆Ｖ字形に折り曲げ、この両側折り曲げ部１２ａ，１２ｂ同士を全長部分で接着によって一体に結合している。
【００５７】
そして、外側の折り曲げ部１２ｂの先端側に切り取り線１０を介してカッターカバー９を延設するとともに、同折り曲げ部１２ｂの先端部外面(折り込んだ状態では蓋Ｃの内側に位置する)にカッター８を、カッターカバー９を切り取った状態で刃先が折り曲げ部１２ｂから突出する状態で設けている。
【００５８】
なお、カッター８はブリキ等の金属製でもよいしプラスチック製でもよい。
【００５９】
また、図４に示すように、折込み片１２の第１折り曲げ部１２ａにおける長さ方向の複数個所(図例では四個所)に、第２折り目１３を基点として第１折り目１１に向かう門形の切り込み１４…を設け、この切り込み１４…の内側部分を起こすことにより、図１〜図３に示すように逆Ｖ字の頂点部分から上向き(蓋Ｃを閉じた状態での上向きで、蓋Ｃを開いた状態では下向き)に突出する複数の突片１５…を形成している。
【００６０】
ここで、折込み片１２は、蓋Ｃの前板６とほぼ同等の幅寸法をもって前板６に延設し、逆Ｖ字形の折り曲げ状態で前板６のほぼ１／２の幅寸法となる。
【００６１】
また、突片１５を形成するための切り込み１４…は、第２折り目１３を基点として第１折り曲げ部１２ａのほぼ１／２の幅寸法範囲(第１折り曲げ部１２ａの幅方向の中央部までの範囲)に設けている。
【００６２】
図１の左側は、カッターカバー９を切り取る前の状態、右側は切り取った状態をそれぞれ示し、図２，３は蓋Ｃを開いた状態(図２中の二点鎖線は閉じる途中の状態)を示す。
【００６３】
この収納箱によると、各図に示すように折込み片１２が第１折り目１１を中心として回動可能となり、蓋Ｃを開いた図２，３の状態で、復原力により前板６に対して直角近くまで開く。
【００６４】
従って、カッター８が上向きとなり、フィルムＦの引き出し時に手を入れてもカッター８の側面に接触するだけで刃先には接触しない。
【００６５】
また、接触すると折込み片１２全体が手から逃げる方向に回動する。
【００６６】
この二点により、従来の収納箱のようにフィルムＦの取り出し時に手を怪我するというおそれがなくなる。
【００６７】
また、蓋Ｃを半開きにした状態ではカッター８が斜め上向き、または横向きとなって刃先がフィルムＦに接触しにくく、接触しても折込み片１２がフィルムＦに押されて逃げるため、切断不能となる。
【００６８】
これにより、半開き切断を抑止し、箱を閉じた状態での切断を促してフィルムＦの巻き戻りを防止する点の効果が得られる。
【００６９】
一方、蓋Ｃを閉じた状態では、折込み片１２は、図１に示すように蓋Ｃの前板６と箱本体Ａの前面板１との間に挟まれて、復原力を蓄えた状態で折畳まれる。
【００７０】
従って、蓋Ｃを閉じた状態でのフィルム切断時に、フィルムＦが折込み片１２の復原力によって前面板１に押し付けられるため、使用者によって加えられる押し付け力と合わせて前面板表面に設けられたニス層(図示しない)に強く密着する。
【００７１】
このため、ニス層の所期の目的であるフィルムＦの巻き戻り防止機能を高めることができる。
【００７２】
また、カッター８による切断反力を折込み片１２と前板６とによって受け止めるため、この反力受け止め部分の剛性が高くなり、切断反力を確実に受け止めて撓みを防止することができる。
【００７３】
とくにこの実施形態によると、折込み片１２を逆Ｖ字形に折り曲げているため、折込み片１２の復原力が高くなるとともに、前板６を含めた反力受け部分が断面Ｚ形の三重構造となる。
【００７４】
このため、蓋Ｃを開いた状態でカッター８が上向きとなる点、蓋Ｃを半開きにした状態でカッター８が上向きまたは横向きになる点、蓋Ｃを閉じた状態でフィルムＦを前面板に押し付ける点、切断反力を受け止めて撓みを防止する点の効果がより顕著となる。
【００７５】
しかも、切断反力支持部分の剛性を高めるために箱全体の紙厚を増加させる場合と比較して、折込み片１２の分だけ紙の使用面積は増えるが、紙厚を増加させる必要がないことにより、トータルでの使用量(坪量)を少なくし、コストダウンすることができる。
【００７６】
さらに、実施形態によると次の効果を得ることができる。
【００７７】
(イ)  折込み片１２の長さ方向の複数個所において、逆Ｖ字の頂点部分から上向きに突出する突片１５…を設けているため、図２中に二点鎖線で示すように蓋Ｃを開き姿勢から閉じる際に、この突片１５…が前面板１の上端に当たって折込み片１２が前板６と前面板１との間にスムーズに折り込まれる。
【００７８】
すなわち、折込み片１２を設けたことの弊害として、蓋Ｃを閉じにくくなったり、蓋Ｃを閉じたときに折込み片１２が外部に飛び出したりするおそれがない。
【００７９】
また、この突片１５…を切り込み１４…によって切り起こし形成しているため、突片１５…を別部材として折込み片１２に取付ける場合と比較して突片１５…の加工が容易でコストが安くてすむ。また、使用中に突片１５…が折込み片１２から外れるおそれもない。
【００８０】
(ロ)  折込み片１２を、蓋Ｃの前板６とほぼ同等の幅寸法をもって前板６に延設し、前板６のほぼ１／２の幅寸法となるように折り曲げているため、折込み片１２に費やす紙の使用量が少なくてすむためコストが安くてすむ。
【００８１】
第２実施形態(図５，６参照)
以下の実施形態では第１実施形態との相違点のみを説明する。
【００８２】
第１実施形態では、門形の切り込み１４を、第２折り目１３を基点として第１折り曲げ部１４ａのほぼ１／２の幅寸法範囲に設けたのに対し、第２実施形態では切り込み１４を、第２折り目１３を基点として第１折り曲げ部１２ａ(第１折り目１１)に到達する範囲で設け、第１実施形態の２倍の突出寸法をもった突片１５を形成している。
【００８３】
また、この突片１５の長さ寸法を、突出寸法に合わせて第１実施形態よりも長く形成し、その分、突片１５の数を少なくしている(図例では二個所)。
【００８４】
つまり、第１実施形態よりも幅、長さとも大型で少数の突片１５を設けている。
【００８５】
こうすれば、蓋Ｃを閉じた状態で突片１５と前板６が重なる部分の面積が大きくなるため、前板６を補強しその剛性を高める点の効果が高くなる。
【００８６】
第３実施形態(図７，８参照)
第３実施形態においては、折込み片１２を前板６のほぼ２倍の幅寸法をもって前板６に延設し、前板６とほぼ同等の幅寸法となるように逆Ｖ字形に折り曲げて、両側折り曲げ部１２ａ，１２ｂ同士を接着・一体化している。
【００８７】
この構成によると、蓋Ｃを閉じた状態で、前板６と折込み片１２を合わせた切断反力支持部分が前板６の全幅部分で三重構造となるため、切断反力支持部分の剛性をさらに増加させることができる。
【００８８】
これにより、フィルム切断時の撓み防止効果を一層高め、切れ味が一層良くなる。
【００８９】
なお、この実施形態によると、折込み片１２が第１及び第２両実施形態の突片１５の役割(折込ガイド作用)をも果たすため、突片を設ける必要がない。
【００９０】
参考形態(図９，１０参照)
第１〜第３各実施形態では、折込み片１２を逆Ｖ字形に折り曲げた状態で前板６の内側に折り込んだのに対し、参考形態では、折込み片１２を折り曲げ部を持たない直片状として前板内側に折り込んでいる。
【００９１】
この構成によると、折込み片１２の復原力や切断反力支持部分の剛性の点で第１〜第３各実施形態よりは劣るものの、蓋Ｃを開いた状態で折込み片１２の復原力によりカッターが上向きとなる点、蓋Ｃを半開きにした状態ではカッター８が斜め上向きか横向きとなって半開き切断を抑止できる点、蓋Ｃを閉じた状態でのフィルム切断時にフィルムＦを前面板１に押し付けてフィルムの巻き戻り防止機能を高めることができる点等の基本的効果は十分得ることができる。
【００９２】
また、折込み片１２が直片状であるため、紙の使用面積が少なくてすみ、コストの点で有利となる。
【００９３】
なお、この参考形態において、実施形態の突片１５と同様の機能を果たす突片を折込み片１２の先端に延設してもよい。
【００９４】
ところで、本発明は、合成樹脂フィルムの収納箱に限らず、アルミホイルやクッキングペーパーの収納箱としても適用可能である。
【符号の説明】
【００９５】
Ａ  箱本体
Ｃ  蓋
Ｆ  フィルム
１  箱本体の前面板
２  同、底面板
３  同、後面板
４  同、左右両側面板
５  蓋の上板
６  同、前板
７  同、左右両側板
８  カッター
１１  折込み用の折り目
１２  折込み片
１２ａ，１２ｂ  折り曲げ部
１３  折り曲げ用の折り目
１４  突片を形成するための切り込み
１５  突片
【図１】
0005669138.tif 000002
【図２】
0005669138.tif 000003
【図３】
0005669138.tif 000004
【図４】
0005669138.tif 000005
【図５】
0005669138.tif 000006
【図６】
0005669138.tif 000007
【図７】
0005669138.tif 000008
【図８】
0005669138.tif 000009
【図９】
0005669138.tif 000010
【図１０】
0005669138.tif 000011
【図１１】
0005669138.tif 000012
【図１２】
0005669138.tif 000013
【図１３】
0005669138.tif 000014